(57)【要約】【課題】アドレスデコーダ回路の回路規模を低減することが可能な光ディスク装置を提供する。【解決手段】光ディスク１から読み出されたウォブル信号からアドレスビットのタイミング同期を示すビットシンク信号とアドレスワードのタイミング同期を示すワードシンク信号を検出する検出回路と、ビットシンク信号とワードシンク信号に基づいて光ディスクのアドレス情報をデコードするためのタイミング信号を生成する、複数種類の光ディスクに対して共通のタイミング信号生成回路とを具備する。そして、光ディスクの判別結果に応じて光ディスクのアドレスフォーマットに対応するタイミング信号に設定することで、複数種類の光ディスクに対するアドレス情報のデコードを行う。【選択図】図１
2008077706.tif 000002
【特許請求の範囲】
【請求項１】
アドレスフォーマットが異なる複数種類の光ディスクに情報を記録又は再生する光ディスク装置において、
前記光ディスクの種類を判別する判別手段と、
前記光ディスクから読み出されたウォブル信号からアドレスビットのタイミング同期を示すビットシンク信号とアドレスワードのタイミング同期を示すワードシンク信号を検出する検出回路と、
前記ビットシンク信号と前記ワードシンク信号に基づいて前記光ディスクのアドレス情報をデコードするためのタイミング信号を生成する、前記複数種類の光ディスクに共通のタイミング信号生成回路と、
前記判別手段の判別結果に応じて前記タイミング信号生成回路の設定を切り換え、前記判別手段により判別された光ディスクのアドレスフォーマットに対応するタイミング信号に設定する手段と、
前記タイミング信号生成回路からのタイミング信号に従って前記光ディスクのアドレスデータを出力する回路と、を備えたことを特徴とする光ディスク装置。
【請求項２】
前記タイミング信号生成回路は、前記ビットシンク信号間のウォブル信号をカウントするウォブルカウンタと、前記ワードシンク信号間のビットシンク信号をカウントするビットカウンタと、前記ワードシンク信号又はｎｉｂｂｉｅをカウントするワードカウンタとを含み、前記判別手段の判別結果に応じて前記各カウンタにセットするカウント最大値を切り換えることにより前記光ディスクのアドレスフォーマットに対応するタイミング信号に設定することを特徴とする請求項１に記載の光ディスク装置。
【請求項３】
前記判別手段は、前記光ディスクのウォブル信号のウォブル周波数の違いにより前記光ディスクの種類を判別することを特徴とする請求項１又は２に記載の光ディスク装置。
【発明の詳細な説明】
【技術分野】
【０００１】
本発明は、複数種類の光ディスクに情報を記録又は再生する光ディスク装置、特に、複数の異なる種類の光ディスクのアドレス情報をデコードする技術に関するものである。
【背景技術】
【０００２】
近年、光ディスク媒体が普及してきている。こうした状況下、異なるアドレス情報の記録フォーマットを有する光ディスク媒体も存在する。例えば、ＤＶＤ＋Ｒ（Digital  Versatile  Disc＋Recordable）、ＤＶＤ＋ＲＷ（Digital  Versatile  Disc＋Rewritable）、ＤＶＤ−Ｒ（Digital  Versatile  Disc−Recordable）等はアドレス情報の記録フォーマットが異なる。更に、ＤＶＤ−ＲＷ（Digital  Versatile  Disc−Rewritable）、ＢＤ（Blu-ray  Disc）等もアドレス情報の記録フォーマットが異なる。
【０００３】
本願明細書では、以下の説明においてＤＶＤ＋ＲとＤＶＤ＋ＲＷを合わせてＤＶＤ＋Ｒ／ＲＷという。また、ＤＶＤ−ＲとＤＶＤ−ＲＷを合わせてＤＶＤ−Ｒ／ＲＷという。
【０００４】
これらＤＶＤ＋Ｒ／ＲＷ、ＤＶＤ−Ｒ／ＲＷ、ＢＤは、ディスクの平坦面（ランド）に形成されるグルーブと呼ばれる溝によって構成されたトラックを備えている。このグルーブは僅かに蛇行（ウォブル）して形成されており、この蛇行からＤＶＤ＋Ｒ／ＲＷ、ＤＶＤ−Ｒ／ＲＷ、ＢＤでそれぞれ異なる所定周期を有するウォブル信号が取り出せる。
【０００５】
ＤＶＤ＋Ｒ／ＲＷのウォブル信号には図９に示すように上記所定周期に対しＰＳＫ（Phase Shift Keying）と呼ばれるアドレス情報に応じた位相変調が施されている。具体的には、周期的にウォブルの位相を反転することでシンク信号を示し、反転する位置を変えることでアドレスビットを表現している。
【０００６】
また、図１０に示すようにＤＶＤ−Ｒ／ＲＷのディスク媒体には、ウォブルに加えてランドプリピット（ＬＰＰ）と呼ばれるアドレス情報を含む領域が、トラック上に所定の間隔で形成されている。具体的には、周期的にウォブルの隣接ランドにＬＰＰを形成することでシンク信号を示し、ＬＰＰを形成する位置を変えることでアドレスビットを示している。
【０００７】
更に、図１１に示すようにＢＤのウォブル信号には上記所定周期に対しＭＳＫ（Minimum  Shift  Keying）と呼ばれるアドレス情報に応じた位相変調が施されている。具体的には、周期的にウォブルの位相を反転することでシンク信号を示し、反転する位置を変えることでアドレスビットを表現している。
【０００８】
また、位相反転したウォブルの前後には、周期が１．５倍のウォブルを配置することで繋ぎ目が滑らかとなり、ウォブル信号全体でその高域成分が少なくなるように考慮されている。
【０００９】
なお、特許文献１には各フォーマット毎に独立した複数のアドレスレコーダ（図番１１，１３，１５）を持つ構成が開示されている。
【特許文献１】特開２００２−５０１０９号公報
【発明の開示】
【発明が解決しようとする課題】
【００１０】
このようにディスク媒体としてのＤＶＤ＋Ｒ／ＲＷとＤＶＤ−Ｒ／ＲＷとＢＤとでは、アドレス情報の記録フォーマットが異なる。そのため、これらのディスク媒体に対してアドレス情報をデコードする場合には、ＤＶＤ＋Ｒ／ＲＷ、ＤＶＤ−Ｒ／ＲＷ、ＢＤでそれぞれ別々の回路を備える必要があり、回路規模の増大が無視できなかった。
【００１１】
本発明の目的は、アドレスデコーダ回路の回路規模を低減することが可能な光ディスク装置を提供することにある。
【課題を解決するための手段】
【００１２】
本発明は、光ディスクから読み出されたウォブル信号からアドレスビットのタイミング同期を示すビットシンク信号とアドレスワードのタイミング同期を示すワードシンク信号を検出する検出回路と、ビットシンク信号とワードシンク信号に基づいて光ディスクのアドレス情報をデコードするためのタイミング信号を生成する、前記複数種類の光ディスクに共通のタイミング信号生成回路とを具備する。そして、光ディスクの判別結果に応じてタイミング信号生成回路の設定を切り換え、判別された光ディスクのアドレスフォーマットに対応するタイミング信号に設定することにより、複数種類の光ディスクに対して、共通のタイミング信号生成回路を用いてアドレス情報をデコードする。
【発明の効果】
【００１３】
本発明によれば、複数種類の光ディスクに対して共通のタイミング信号生成回路でアドレス情報をデコードできるため、複数種類の光ディスクに対して専用のデコード回路を必要とせず、回路規模の増大を抑制できる。また、回路規模を抑制できるだけでなく、アドレスデコード回路等を集積化した場合のチップ面積を減少できるため、チップのコストダウンを実現でき、更に、回路規模の縮小により消費電力も低減できる。
【発明を実施するための最良の形態】
【００１４】
次に、発明を実施するための最良の形態について図面を参照して詳細に説明する。図１は本発明に係る光ディスク装置の一実施形態の構成を示すブロック図である。
【００１５】
なお、図１では主に光ディスクのアドレスデコードに関する回路を示しているが、その他の情報の記録や再生に必要な記録回路や再生回路、或いはトラッキング制御やフォーカス制御等のサーボ制御回路等は省略している。また、装置全体を制御するコントローラ、光ディスクを回転駆動するスピンドルモータ等の回路や機構についても省略している。
【００１６】
また、本発明では、図１の太線で囲まれた回路部分、即ち、ウォブルカウンタ１２、ビットカウンタ１３、ワードカウンタ１４、タイミング生成回路１６、アドレスデコード結果出力回路１５からなる回路部分をアドレスデコーダ回路と呼んでいる。また、ウォブルカウンタ１２、ビットカウンタ１３、ワードカウンタ１４、タイミング生成回路１６からなる回路部分をタイミング信号生成回路と呼んでいる。
【００１７】
図中１は情報記録媒体であるところの光ディスクである。光ディスクには、例えば、ＤＶＤ＋Ｒ／ＲＷ、ＤＶＤ−Ｒ／ＲＷ、ＢＤのいずれかを用いることができる。これら光ディスクには上述のようにトラックを蛇行（ウォブル）させることによってアドレス情報等が記録されている。
【００１８】
光学ヘッド２は光ディスク１にレーザ光を照射し、光ディスク１に情報を記録又は再生する。また、光学ヘッド２は内部の光センサで光ディスク１からの反射光を受光する。この受光信号に基づいて光ディスク１に記録されているアドレスデータを示すウォブル信号や記録データを示す再生信号を生成する。
【００１９】
ＰＳＫ復調回路３は光ディスク１としてＤＶＤ＋Ｒ／ＲＷを用いた場合に光学ヘッド２により光ディスク１から読み出されたウォブル信号を取り込んで、ＰＳＫ復調された２値化データを生成する。具体的には、キャリアと呼ばれるウォブル信号と周波数が同じで、位相が同期しているＳＩＮ波とウォブル信号とを乗算すると、ＰＳＫ変調された箇所のみに変調成分を検出できる。この変調成分を２値化信号に変換する。
【００２０】
ＰＳＫ＿ＳＹＮＣ検出回路６はＰＳＫ復調回路３から出力された２値化データからビットシンク信号とワードシンク信号を検出する。検出したビットシンク信号は後段のビットシンクセレクタ９に出力し、ワードシンク信号はワードシンクセレクタ１０に出力する。ビットシンク信号はアドレスビットのタイミング同期を示す信号、ワードシンク信号はアドレスワードのタイミング同期を示す信号である。
【００２１】
ＬＰＰ検出回路４は光ディスク１としてＤＶＤ−Ｒ／ＲＷを用いた場合に光学ヘッド２により光ディスク１から読み出されたウォブル信号を取り込んで、ＬＰＰ信号の２値化データを生成する。即ち、ウォブル信号の−９０°の位置に付されているＬＰＰ信号を所定の閾値で２値化信号に変換する。
【００２２】
ＬＰＰ＿ＳＹＮＣ検出回路７はＬＰＰ検出回路４から出力された２値化データから、ビットシンク信号とワードシンク信号を検出する。検出したビットシンク信号はビットシンクセレクタ９に出力し、ワードシンク信号はワードシンクセレクタ１０に出力する。
【００２３】
ＭＳＫ復調回路５は光ディスク１としてＢＤを用いた場合に光学ヘッド２により光ディスク１から読み出されたウォブル信号を取り込んで、ＭＳＫ復調された２値化データを生成する。具体的には、キャリアと呼ばれるウォブル信号と周波数が同じで、位相が同期しているＣＯＳ波とウォブル信号とを乗算すると、ＭＳＫ変調された箇所のみに変調成分を検出できる。この変調成分を２値化信号に変換する。
【００２４】
ＭＳＫ＿ＳＹＮＣ検出回路８はＭＳＫ復調回路５から出力された２値化データからビットシンク信号とワードシンク信号を検出する。検出したビットシンク信号はビットシンクセレクタ９に出力し、ワードシンク信号はワードシンクセレクタ１０に出力する。
【００２５】
ディスク判別回路１１はウォブルＰＬＬ１７からのウォブル周波数の違いにより光ディスク１の種類を判別する。ディスク判別回路１１の判別結果はビットシンクセレクタ９、ワードシンクセレクタ１０、ウォブルカウンタ１２、ビットカウンタ１３、ワードカウンタ１４、アドレスデコード結果出力回路１５、タイミング生成回路１６に出力される。
【００２６】
ウォブルカウンタ１２はビットシンク信号間に含まれるウォブルの個数（ウォブルの１周期）をカウントする。ウォブルカウンタ１２にはウォブルＰＬＬ１７からウォブル信号に同期したクロックが供給される。
【００２７】
ビットカウンタ１３はワードシンク信号間に含まれるビットシンク信号をカウントするカウンタ、ワードカウンタ１４はアドレス情報間に含まれるワードシンク信号やｎｉｂｂｉｅ等をカウントするカウンタである。これらのカウンタ１２、１３、１４にはディスク判別回路１１の判別結果に応じてカウント最大値がセットされる。なお、各カウンタにおけるカウント最大値はディスク判別回路１１内の図示しないカウント値設定回路により設定する。もちろん、図示しないコントローラから設定しても良い。
【００２８】
タイミング生成回路１６はディスク判別回路１１、ウォブルカウンタ１２、ビットカウンタ１３、ワードカウンタ１４の出力に従ってアドレスデコード結果出力回路１５にアドレスデコードのためのタイミング信号を出力する。なお、光ディスクの種別に応じてタイミング生成回路１６のタイミング信号が変わる場合があるため光ディスクの種別を通知する。
【００２９】
アドレスデコード結果出力回路１５はディスク判別回路１１のディスク判別結果に応じてＰＳＫ復調回路３、ＬＰＰ検出回路４、ＭＳＫ復調回路６のうち光ディスクの種別に対応する出力信号を選択する。そして、タイミング生成回路１６からのタイミング信号に従ってＤＶＤ＋Ｒ／ＲＷ、ＤＶＤ−Ｒ／ＲＷ、ＢＤそれぞれのアドレス情報をデコードする。
【００３０】
図２はディスク判別回路１１の判別結果がＤＶＤ＋Ｒ／ＲＷの場合のアドレスデコード動作を説明するタイミングチャートである。図２（ａ）はビットシンク信号、図２（ｂ）はウォブルカウンタ１２のカウント値、図２（ｃ）はワードシンク信号、図２（ｄ）はビットカウンタ１３のカウント値、図２（ｅ）はワードカウンタ１４のカウント値を示す。
【００３１】
ディスク判別回路１１の判別結果がＤＶＤ＋Ｒ／ＲＷの場合、ビットシンクセレクタ９はＰＳＫ＿ＳＹＮＣ検出回路６からのビットシンク信号をウォブルカウンタ１２に出力する。ウォブルカウンタ１２はビットシンク信号でカウント値を０にリセットする。
【００３２】
ワードシンクセレクタ１０はＰＳＫ＿ＳＹＮＣ検出回路６からのワードシンク信号をビットカウンタ１３とワードカウンタ１４に出力する。ビットカウンタ１３とワードカウンタ１４はワードシンク信号でカウント値を０にリセットする。更に、ビットカウンタ１３はウォブルカウンタ１２の桁上がりでカウント値をインクリメントする。ワードカウンタ１４はビットカウンタ１３の桁上がりでカウント値をインクリメントする。
【００３３】
図３はディスク判別回路１１の判別結果がＤＶＤ−Ｒ／ＲＷの場合のアドレスデコード動作を説明するタイミングチャートである。図３（ａ）はビットシンク信号、図３（ｂ）はウォブルカウンタ１２のカウント値、図３（ｃ）はワードシンク信号、図３（ｄ）はビットカウンタ１３のカウント値、図３（ｅ）はワードカウンタ１４のカウント値を示す。
【００３４】
ディスク判別回路１１の判別結果がＤＶＤ−Ｒ／ＲＷの場合、ビットシンクセレクタ９はＬＰＰ＿ＳＹＮＣ検出回路７からのビットシンク信号をウォブルカウンタ１２に出力する。ウォブルカウンタ１２はビットシンク信号でカウント値を０にリセットする。
【００３５】
ワードシンクセレクタ１０はＬＰＰ＿ＳＹＮＣ検出回路７からのワードシンク信号をビットカウンタ１３に出力する。ビットカウンタ１３とワードカウンタ１４はワードシンク信号でカウント値を０にリセットする。更に、ビットカウンタ１３はウォブルカウンタ１２の桁上がりでカウント値をインクリメントする。ワードカウンタ１４はビットカウンタ１３の桁上がりでカウント値をインクリメントする。
【００３６】
図４はディスク判別回路１１の判別結果がＢＤの場合のアドレスデコード動作を説明するタイミングチャートである。図４（ａ）はビットシンク信号、図４（ｂ）はウォブルカウンタ１２のカウント値、図４（ｃ）はワードシンク信号、図４（ｄ）はビットカウンタ１３のカウント値、図４（ｅ）はワードカウンタ１４のカウント値を示す。
【００３７】
ディスク判別回路１１の判別結果がＢＤの場合、ビットシンクセレクタ９はＭＳＫ＿ＳＹＮＣ検出回路８からのビットシンク信号をウォブルカウンタ１２に出力する。ウォブルカウンタ１２はビットシンク信号でカウント値を０にリセットする。
【００３８】
ワードシンクセレクタ１０はＭＳＫ＿ＳＹＮＣ検出回路８からのワードシンク信号をビットカウンタ１３とワードカウンタ１４に出力する。ビットカウンタ１３とワードカウンタ１４はワードシンク信号でカウント値を０にリセットする。更に、ビットカウンタ１３はウォブルカウンタ１２の桁上がりでカウント値をインクリメントする。ワードカウンタ１４はビットカウンタ１３の桁上がりでカウント値をインクリメントする。
【００３９】
次に、光ディスク１がＤＶＤ＋Ｒ／ＲＷである場合のアドレスデコード動作を詳細に説明する。光ディスク１がＤＶＤ＋Ｒ／ＲＷの場合のアドレスフォーマットを図５に示す。
【００４０】
ディスク判別回路１１は光ディスク１がＤＶＤ＋Ｒ／ＲＷであると判別すると、図６に示すように各カウンタにカウント最大値をセットする。図６はＤＶＤ＋Ｒ／ＲＷ、ＤＶＤ１−Ｒ／ＲＷ、ＢＤの各光ディスクにおいてウォブルカウンタ１２、ビットカウンタ１３、ワードカウンタ１４それぞれにセットするカウント最大値を示すものである。
【００４１】
また、ディスク判別回路１１は、上述のように各セレクタや各カウンタ、タイミング生成回路１６、アドレスデコード結果出力回路１５に光ディスクの判別結果を通知する。
【００４２】
光ディスクがＤＶＤ＋Ｒ／ＲＷの場合には、図６に示すようにウォブルカウンタ１２にはビットシンク信号間にある９３個のウォブルを計数するので最大カウント値９２をセットする。ビットカウンタ１３にはｎｉｂｂｌｅ単位にビットシンク信号を計数するので最大カウント値３をセットする。ワードカウンタ１４にはアドレス情報間にある１３個のｎｉｂｂｉｅを計数するので最大カウント値１２をセットする。
【００４３】
タイミング生成回路１６は図２に示すウォブルカウンタ１２のカウント値、ビットカウンタ１３のカウント値、ワードカウンタ１４のカウント値に従ってタイミング信号をアドレスデコード結果出力回路１５に出力する。アドレスデコード結果出力回路１５はタイミング生成回路１６からのタイミング信号に従ってＰＳＫ＿復調回路３からのアドレス情報をデコードする。
【００４４】
具体的には、タイミング生成回路１６はウォブルカウンタ１２、ビットカウンタ１３、ワードカウンタ１４の‘０’のタイミングでアドレスデコードの開始信号を出力する。
【００４５】
アドレスデコード結果出力回路１５は図２（ｅ）に示すようにワードカウンタ１４のカウント値が‘０’の期間にＰＳＫ復調回路３からのアドレス情報のデコードを開始する。その際、図２（ｄ）に示すようにビットカウンタ１３のカウント値‘０’、‘１’、‘２’、‘３’に従って順次ＰＳＫ復調回路３からのアドレス情報をデコードする。
【００４６】
ここで、アドレスデコード結果出力回路１５は図２（ｂ）に示すウォブルカウンタ１２のカウント値に従ってアドレスビットを検出する。その場合、図２（ｂ）に示すようにウォブルカウンタ１２のカウント値が‘４〜７’の時に図９に示すようにＰＳＫ復調回路３の出力が‘１１００’の場合には、アドレスビットを‘１’とする。
【００４７】
同じくＰＳＫ復調回路３の出力が‘００１１’の場合にはアドレスビットを‘０’とする。アドレスデコード結果出力回路１５はアドレスビット‘０’、‘１’のデータをｎｉｂｂｌｅ単位でまとめてアドレスデータとして出力する。
【００４８】
ワードカウンタ１４のカウント値が‘０’の期間にビットカウンタ１３のカウント値が‘３’までアドレス情報をデコードすると、ワードカウンタ１４のカウント値が‘１’の期間に同様にビットカウンタ１３のカウント値が‘０’から‘３’までアドレスビットを検出する。以下、同様にワードカウンタ１４のカウント値が‘１２’となるまでビットカウンタ１３のカウント値に従ってアドレスビットを検出する。
【００４９】
次に、光ディスク１がＤＶＤ−Ｒ／ＲＷである場合のアドレスデコードについて詳細に説明する。光ディスク１がＤＶＤ−Ｒ／ＲＷの場合のアドレスフォーマットを図７に示す。
【００５０】
ディスク判別回路１１は光ディスクがＤＶＤ−Ｒ／ＲＷであると判別すると、図６に示すように各カウンタにカウント最大値をセットする。即ち、ウォブルカウンタ１２にはビットシンク信号間にある８個のウォブルを計数するので最大カウント値７をセットする。
【００５１】
ビットカウンタ１３にはワードシンク信号間にある１３個のビットシンク信号を計数するので最大カウント値１２をセットする。ワードカウンタ１４にはアドレス情報間にある１６個のワードシンク信号を計数するので最大カウント値１５をセットする。
【００５２】
また、ディスク判別回路１１は、同様に各セレクタや各カウンタ、タイミング生成回路１６、アドレスデコード結果出力回路１５に光ディスクの判別結果を通知する。
【００５３】
タイミング生成回路１６は同様に図３に示すウォブルカウンタ１２のカウント値、ビットカウンタ１３のカウント値、ワードカウンタ１４のカウント値に従ってタイミング信号をアドレスデコード結果出力回路１５に出力する。アドレスデコード結果出力回路１５はタイミング生成回路１６からのタイミング信号に従ってＬＰＰ検出回路４からのアドレス情報をデコードする。
【００５４】
具体的には、タイミング生成回路１６はウォブルカウンタ１２、ビットカウンタ１３、ワードカウンタ１４の‘０’のタイミングでアドレスデコードの開始信号を出力する。
【００５５】
アドレスデコード結果出力回路１５は図３（ｅ）に示すようにワードカウンタ１４のカウント値が‘０’の期間に図３（ｄ）に示すようにビットカウンタ１３のカウント値‘０’、‘１’、…、‘１２’に従ってＬＰＰ検出回路４からのアドレス情報をデコードする。
【００５６】
ここで、アドレスデコード結果出力回路１５は図３（ｂ）に示すウォブルカウンタ１２のカウント値に従ってＬＰＰ検出回路４からのアドレス情報をデコードする。その際、図１０に示すようにウォブルカウンタ１２のカウント値が‘０〜２’の時にＬＰＰ検出回路４の出力が‘１０１’の場合には、アドレスビットを‘１’とする。
【００５７】
同じくＬＰＰ検出回路４の出力が‘１００’の場合にはアドレスビットを‘０’とする。アドレスデコード結果出力回路１５はアドレスビット‘０’、‘１’のデータをｂｙｔｅ単位でまとめてアドレスデータとして出力する（図７に示すアドレスビット）。
【００５８】
ワードカウンタ１４のカウント値が‘０’の期間でビットカウンタ１３のカウント値が‘１２’までアドレスビットを検出すると、ワードカウンタ１４のカウント値が‘１’の期間に同様にビットカウンタ１３のカウント値が‘０’から‘１２’までアドレスビットを検出する。以下、同様にワードカウンタ１４のカウント値が‘１５’となるまでビットカウンタ１３のカウント値に従ってアドレスビットを検出する。
【００５９】
次に、光ディスク１がＢＤである場合のアドレスデコード動作について詳細に説明する。光ディスクがＢＤの場合のアドレスフォーマットを図８に示す。
【００６０】
ディスク判別回路１１はＢＤであると判別すると、図６に示すように各カウンタにカウント最大値をセットする。即ち、図６に示すようにウォブルカウンタ１２にはビットシンク信号間にある５６個のウォブルを計数するので最大カウント値５５をセットする。
【００６１】
また、ビットカウンタ１３はワードカウンタ１４が０の時には８（＝（Monotone（1）＋Sync（1））×４）を計数する。ワードカウンタ１４が０以外の時には５（＝（Reference（１）＋Data（４）））を計数する。従って、ビットカウンタ１３には８を計数する場合には最大カウント値７をセットし、５を計数する場合には最大カウント値４をセットする。
【００６２】
ワードカウンタ１４にはアドレス情報間にあるワードシンク信号（１）とｎｉｂｂｉｅ（１５）を計数するので最大カウント値１５をセットする。それに応じて、図４に示すようにワードカウンタ１４のカウント値が‘０’の時にはビットカウンタ１３のカウント値は‘０’〜‘７’となっている。ワードカウンタ１４のカウント値が‘０’以外の時にはビットカウンタ１３のカウント値は‘０’〜‘４’となっている。
【００６３】
また、ディスク判別回路１１は、同様に各セレクタや各カウンタ、タイミング生成回路１６、アドレスデコード結果出力回路１５に光ディスクの判別結果を通知する。
【００６４】
タイミング生成回路１６は図４に示すウォブルカウンタ１２のカウント値、ビットカウンタ１３のカウント値、ワードカウンタ１４のカウント値に従ってタイミング信号をアドレスデコード結果出力回路１５に出力する。アドレスデコード結果出力回路１５はタイミング生成回路１５からのタイミング信号に従ってＭＳＫ復調回路５からのアドレス情報をデコードする。
【００６５】
具体的には、タイミング生成回路１６は同様にウォブルカウンタ１２，ビットカウンタ１３、ワードカウンタ１４の‘０’のタイミングでアドレスデコードの開始信号を出力する。
【００６６】
アドレスデコード結果出力回路１５はワードカウンタ１４のカウント値が‘０’の期間にビットカウンタ１３のカウント値‘０’〜‘７’に従ってＭＳＫ復調回路５からのアドレス情報をデコードする。なお、ビットカウンタ１３のカウント値が‘０’の期間は上述のように（Monotone（1）＋Sync（1）×４）に対応する（図８参照）。
【００６７】
ワードカウンタ１４のカウント値が‘１’以降にアドレスビットの検出を行う。その際、ビットカウンタ１３のカウント値‘０’〜‘４’に従ってＭＳＫ復調回路５からのアドレス情報をデコードする。
【００６８】
その場合、アドレスデコード結果出力回路１５は図４（ｂ）に示すウォブルカウンタ１２のカウント値に従ってＭＳＫ復調回路５からのアドレス情報をデコードする。その際、図１１に示すようにウォブルカウンタ１２のカウント値が‘１３’の時、ＭＳＫ復調回路５の出力が‘１’の場合には、アドレスビットを‘１’とする。
【００６９】
同じくウォブルカウンタ１２のカウント値が‘１６’でＭＳＫ復調回路５の出力が‘１’の場合には、アドレスビット‘０’とする。アドレスデコード結果出力回路１５はアドレスビット‘０’、‘１’のデータをｎｉｂｂｌｅ単位でまとめてアドレスデータとして出力する。以下、同様にワードカウンタ１４のカウント値が‘１５’となるまでビットカウンタ１３のカウント値に従ってアドレスビットを検出する。
【００７０】
本実施形態では、以上のようにウォブルカウンタ１２、ビットカウンタ１３、ワードカウンタ１４の各カウント最大値を光ディスクの種別に応じて切り換えている。そして、光ディスクのアドレスフォーマットに応じてアドレス情報をデコードするためのタイミング信号を切り換えることによって、回路規模の低減したアドレスデコード回路を用いて、複数種類の光ディスクのアドレスデコードを行うことが可能となる。
【図面の簡単な説明】
【００７１】
【図１】本発明に係る光ディスク装置の一実施形態を示すブロック図である。
【図２】光ディスクがＤＶＤ＋Ｒ／ＲＷの場合のアドレスデコード動作を説明するタイミングチャートである。
【図３】光ディスクがＤＶＤ−Ｒ／ＲＷの場合のアドレスデコード動作を説明するタイミングチャートである。
【図４】光ディスクがＢＤの場合のアドレスデコード動作を説明するタイミングチャートである。
【図５】ＤＶＤ＋Ｒ／ＲＷのアドレスフォーマットを示す図である。
【図６】光ディスクの種別に対応するウォブルカウンタ、ビットカウンタ、ワードカウンタのカウント最大値を示す図である。
【図７】ＤＶＤ−Ｒ／ＲＷのアドレスフォーマットを示す図である。
【図８】ＢＤのアドレスフォーマットを示す図である。
【図９】ＤＶＤ＋Ｒ／ＲＷのウォブルフォーマットを示す図である。
【図１０】ＤＶＤ−Ｒ／ＲＷのウォブルフォーマットを示す図である。
【図１１】ＢＤのウォブルフォーマットを示す図である。
【符号の説明】
【００７２】
１  光ディスク
２  光学ヘッド
３  ＰＳＫ復調回路
４  ＬＰＰ検出回路
５  ＭＳＫ復調回路
６  ＰＳＫ＿ＳＹＮＣ検出回路
７  ＬＰＰ＿ＳＹＮＣ検出回路
８  ＭＳＫ＿ＳＹＮＣ検出回路
９  ビットシンクセレクタ
１０  ワードシンクセレクタ
１１  ディスク判別回路
１２  ウォブルカウンタ
１３  ビットカウンタ
１４  ワードカウンタ
１５  アドレスデコード結果出力回路
１６  タイミング生成回路
１７  ウォブルＰＬＬ
【図１】
2008077706.tif 000003
【図２】
2008077706.tif 000004
【図３】
2008077706.tif 000005
【図４】
2008077706.tif 000006
【図５】
2008077706.tif 000007
【図６】
2008077706.tif 000008
【図７】
2008077706.tif 000009
【図８】
2008077706.tif 000010
【図９】
2008077706.tif 000011
【図１０】
2008077706.tif 000012
【図１１】
2008077706.tif 000013